(57)【要約】【課題】抑え盤４とアンカーへッド７の間に弾性抵抗体６を配置するという簡単な構成によって、緊張試験時と、緊張定着時のクサビの動作を区別して行わせることができる。【解決手段】アンカーケーブル３の地上の露出端を把持してアンカーケーブル３に緊張を与える緊張用シリンダ１と、定着用クサビ５をアンカーへッド７の円錐孔に挿入するための定着用シリンダ２とより構成する。定着用シリンダ２と、アンカーへッド７の間には、クサビ抑え盤４を配置する。この抑え盤４にはアンカーケーブル３の貫通孔を貫通させ、抑え盤４とアンカーへッド７の間には、弾性材料で構成した抵抗体を配置する。【選択図】        図１
2005194738.tif 000002
【特許請求の範囲】
【請求項１】
アンカーケーブルの地上の露出端を把持してアンカーケーブルに緊張を与える緊張用シリンダと、
定着用クサビをアンカーへッドの円錐孔に挿入するための定着用シリンダとよりなり、
定着用シリンダと、アンカーへッドの間には、クサビ抑え盤を配置し、
この抑え盤にはアンカーケーブルの貫通孔を貫通させ、
抑え盤とアンカーへッドの間には、弾性材料で構成した抵抗体を配置して構成した、
アンカーの緊張装置
【請求項２】
弾性抵抗体は、
アンカーケーブルの戻り時には抵抗してクサビをアンカーへッドの円錐孔内へ移動させることなく、
定着用シリンダの加圧力によって変形して、クサビをアンカーへッドの円錐孔内へ移動させる程度の弾性を備えた弾性材によって構成した、
請求項１記載の、アンカーの緊張装置
【発明の詳細な説明】
【技術分野】
【０００１】
本発明は、アンカーの緊張装置に関するものである。
【背景技術】
【０００２】
地盤にアンカーを定着するには、耐荷体とアンカーケーブルを地中のアンカー孔内に挿入してアンカー孔にグラウト材を注入する。
グラウト材の硬化後にアンカーケーブルを緊張、開放を繰り返して緊張試験を行い、その後にアンカーケーブルに所定の緊張力を与えて定着する。
アンカーケーブルは、その周囲から複数に分割したクサビによって把持することによって定着する構造である。
そのために、緊張試験中にアンカーケーブルの緊張を緩めた場合に、アンカーケーブルが地盤側に戻ると、その周囲に位置する分割クサビも地盤側に移動して、円錐状のクサビ座に侵入してアンカーケーブルを周囲から強固に把持してしまう可能性がある。
そのように試験の途中でアンカーケーブルがクサビで把持されてしまうと、完全な試験を行うことができない。
そのような試験の途中でのクサビによる把持を避けるために、図に示すように、地盤側の定着シリンダの端とアンカーへッドの間に側面からシャッタを挿入する構成が採用されている。
このように、シャッタが側面から挿入されてアンカーへッドの面に位置している限り、定着クサビがアンカーへッドの円錐孔内に侵入することができない。
そのために、緊張と解放の作業を繰り返しても、アンカーケーブルがアンカーへッドに定着してしまうことがない。
【特許文献１】特開２００１−７３３６６号公報。
【発明の開示】
【発明が解決しようとする課題】
【０００３】
本発明は、上記したような従来の発明とは別の構成によって、アンカーケーブルの定着前に緊張、開放を繰り返す試験において、途中でアンカーケーブルを把持してしまうことがない、アンカーの緊張装置を提供することを目的とする。
【課題を解決するための手段】
【０００４】
上記のような課題を解決するために、本発明のアンカーの緊張装置は、アンカーケーブルの地上の露出端を把持してアンカーケーブルに緊張を与える緊張用シリンダと、定着用クサビをアンカーへッドの円錐孔に挿入するための定着用シリンダとよりなり、定着用シリンダと、アンカーへッドの間には、クサビ抑え盤を配置し、この抑え盤にはアンカーケーブルの貫通孔を貫通させ、抑え盤とアンカーへッドの間には、弾性材料で構成した抵抗体を配置して構成した、アンカーの緊張装置を特徴としたものである。
【発明の効果】
【０００５】
本発明のアンカーの緊張装置は以上説明したようになるから、抑え盤とアンカーへッドの間に弾性抵抗体を配置するという簡単な構成によって、緊張試験時と、緊張定着時のクサビの動作を区別して行わせることができる。
【発明を実施するための最良の形態】
【０００６】
本発明を実施するための最良の形態は、アンカーケーブルの地上の露出端を把持してアンカーケーブルに緊張を与える緊張用シリンダと、定着用クサビをアンカーへッドの円錐孔に挿入するための定着用シリンダとよりなり、定着用シリンダと、アンカーへッドの間には、クサビ抑え盤を配置し、この抑え盤にはアンカーケーブルの貫通孔を貫通させ、抑え盤とアンカーへッドの間には、弾性材料で構成した抵抗体を配置して構成した、アンカーの緊張装置である。
【実施例】
【０００７】
以下図面を参照しながら本発明のアンカーの緊張装置の実施例について説明する。
【０００８】
＜１＞緊張用シリンダ。
アンカーケーブル３の定着にはセンターホールジャッキを使用する。
このセンターホールジャッキは、油圧で伸縮する緊張用シリンダ１の部分と、定着用シリンダ２部分によって構成する。実際には両シリンダ部分は一体のピストンによって構成することができるが、説明上から２部分に分けて記述する。
緊張用シリンダ１部分は、プーリングヘッド１１を地盤から離れる方向へ押し出すためのジャッキである。
このプーリングヘッド１１はアンカーケーブル３の貫通する貫通孔を開口してあり、クサビ１２によってアンカーケーブル３を周囲から把持して拘束する円盤体である。
【０００９】
＜２＞定着用シリンダ２。
定着用シリンダ２部分は、緊張用シリンダ１とは反対に地盤側に向けて伸縮する。
地盤側へ伸張した場合には、後述する抑え盤４を地盤側へ押し出すことができる。
【００１０】
＜３＞抑え盤４。
定着用シリンダ２と、アンカーへッド７の間には、クサビ抑え盤４を配置する。
この抑え盤４には貫通孔を開口し、貫通孔にはアンカーケーブル３を貫通させる。
さらにこの抑え盤４にはクサビに対応した位置に、アンカーへッド７側に向けて、抑え筒４１を突設する。
この抑え筒４１は内部にアンカーケーブル３を貫通させた筒体である。
そして抑え筒４１の外径は定着用クサビ５の外径に近い寸法を備えており、抑え筒４１の移動によって、定着用クサビ５をアンカーへッド７側に押し出すことができる。
【００１１】
＜４＞弾性抵抗体６。
抑え盤４とアンカーへッド７の間には、弾性材料で構成した抵抗体６を配置する。この抵抗体６は、内部に円錐孔を開設し、円錐孔の内部には定着用クサビ５を収納してある。
そしてこの弾性抵抗体６は、一定の抵抗力を備えている必要がある。
すなわち、緊張試験中にはアンカーケーブル３がアンカーへッド７に定着することなく、緊張試験が終了して定着する時にはアンカーケーブル３をアンカーへッド７に定着させることができる程度の抵抗力である。
まず、繰り返し緊張試験において、アンカーケーブル３への緊張力を解除した場合に、伸張していたアンカーケーブル３が短縮して地盤内の耐荷体８側に戻る。
このアンカーケーブル３の短縮時に、定着用クサビ５も同時に引き戻され、アンカーへッドの円錐孔内に引き入れられてしまい、試験中であるのにアンカーケーブル３がアンカーへッド７に定着してしまう可能性がある。
弾性抵抗体６は、そのようなアンカーケーブル３の短縮時にクサビ５の移動に抵抗してクサビ５をアンカーへッド７の円錐孔内へ移動させることがないだけの抵抗力を備えている必要がある。
一方、アンカーケーブル３の定着時には、定着用クサビ５をアンカーへッド７の円錐孔の内部に押し込む必要がある。
その場合には定着用シリンダ２が弾性抵抗体６を加圧力するので、その圧力によって弾性抵抗体６は変形して、定着用クサビ５をアンカーへッド７の円錐孔内へ移動させることが出来なければならない。
すなわち、弾性抵抗体６は、上記の程度の抵抗力の上限と下限を備えた弾性材によって構成するものである。
【００１２】
＜５＞試験過程。
次に試験過程について説明する。
まず一端を地中の耐荷体８に固定したアンカーケーブル３の他端を、アンカーへッド７の貫通孔、弾性抵抗体６とその円錐孔に位置する定着用クサビ５、抑え盤４の貫通孔、プーリングヘッド１１の貫通孔を通してプーリングヘッド１１の開放側に引き出す。
そしてアンカーケーブル３のたわみを除去しておき、緊張用シリンダ１を伸張する。
すると、プーリングヘッド１１のクサビ１２で固定された全部のアンカーケーブル３が、耐荷体８から離れる方向に引っ張られる。
この際に、設計荷重の１０％で３０分間、引張力を与え、その後、引っ張り力を開放する。
次に設計荷重の５０％の引張力を与えて、その後開放する、といった動作を繰り返して緊張試験を行う。
【００１３】
＜６＞定着用クサビ５の作動。
試験過程において、アンカーケーブル３に与えた引張力を開放すると、アンカーケーブル３は耐荷体８側へ戻る動作をする。
この動作によって定着用クサビ５がアンカーへッド７の円錐孔内へ引き込まれる可能性があるが、クサビの周囲には弾性抵抗体６が位置している。
そしてこの抵抗体は、アンカーケーブル３の戻り時には抵抗してクサビをアンカーへッド７の円錐孔内へ移動させることない強度を備えている。
そのために、この抵抗体６の円錐孔が障害となって、定着用クサビ５はアンカーへッド７側に移動することができない。
その結果、試験中にアンカーケーブル３がアンカーへッド７へ定着してしまうことを阻止することができる。
【００１４】
＜７＞定着時。
緊張試験が終わったらアンカーケーブル３をアンカーへッド７へ定着しなければならない。
そのために定着用シリンダ２をアンカーへッド７側に向けて伸張する。同時に一体の緊張用シリンダ１もアンカーへッド７側に向けて移動する。
定着用シリンダ２のアンカーへッド７側への伸張によって抑え盤４がアンカーへッド７側に移動する。その結果、抑え筒４１が定着用クサビ５をアンカーへッド７の円錐孔内へ押し込む。
その際に、抑え筒４１とアンカーへッド７の間に弾性抵抗体６が位置している。しかし前記したようにこの抵抗体６は、定着用シリンダ２の加圧力によって変形して、クサビをアンカーへッド７の円錐孔内へ移動させる程度の弾性を備えている。
したがって抑え筒４１の加圧によって抵抗体６は変形して定着用クサビ５の移動を許容し、定着用クサビ５は抵抗体６を押しのけてアンカーへッド７の円錐孔内に移動する。
その結果、アンカーケーブル３はその周囲を定着用クサビ５で強固に把持されて、アンカーへッド７の位置で定着される。
このときに、抑え盤４の側面に溝４２を形成しておき、シリンダの定着架台に開口した窓から、溝４２にストッパー板などを挿入すれば、窓によって移動が拘束されたストッパー板を介して溝４２の移動が阻止される。そのために、定着用シリンダ２の押し付け力を緩めた場合にも定着用クサビ５が戻ってしまう現象を阻止でき、より安定した定着状態を維持できる。
【図面の簡単な説明】
【００１５】
【図１】本発明のアンカーの緊張装置の実施例の説明図
【図２】緊張試験の状態の実施例の説明図
【図３】アンカーを定着する状態の実施例の説明図
【図４】アンカーの緊張状態の全体の説明図
【符号の説明】
【００１６】
１：緊張用シリンダ１
２：定着用シリンダ２
３：アンカーケーブル３
４：抑え盤４
５：定着用クサビ５
６：弾性抵抗体６
７：アンカーへッド７
【図１】
2005194738.tif 000003
【図２】
2005194738.tif 000004
【図３】
2005194738.tif 000005
【図４】
2005194738.tif 000006